(57)【要約】      （修正有）【課題】浴室換気乾燥暖房機のパイプガイドの取付け作業性を良くするとともに接続部の信頼性を向上させる。【解決手段】換気通風路を構成した本体１と、この本体１を天井などに固定する本体取付け枠１２と、本体１の換気通風路の吸込み口、吹出し口に備えられるパイプガイド３、７とから構成される。本体取付け枠１２はパイプガイド３，７を固定するために、水平方向と垂直方向の二面を有し、垂直方向面にはパイプガイド３、７を係止するための開口部を設ける。パイプガイド３、７は、ダクト１１を接続する筒部とプレート部で構成し、このプレート部に本体取付け枠１２を固定するためのフランジ部と係止部を設ける。パイプガイド３、７の係止部は本体取付け枠１２の開口部に本体取付け枠１２の長手方向から挿入、位置決めをする構造を備える。【選択図】図２
2010230229.tif 000002
【特許請求の範囲】
【請求項１】
本体内に換気通風路を構成し、前記本体の側面に前記換気通風路の吸込み口、吹出し口とを有し、前記本体の側面に隣接して直角に構成される取付けのためのフランジ部を有する換気装置と、
前記換気装置を天井等に取付け固定する本体取付け枠と、
前記本体取付け枠に固定して、前記換気装置の前記吸込み口と吹出し口に連結されるパイプガイドとから構成される換気装置であって、
前記本体取付け枠は前記パイプガイドを固定するための、水平方向と垂直方向の二面を有し、前記垂直方向面には前記パイプガイドを係止するための開口部を設け、
前記パイプガイドはダクトを接続する筒部と前記筒部の軸方向に直角なプレート部で構成され、前記プレート部には前記本体取付け枠に固定するためのフランジ部と係止部を設け、前記係止部は前記本体取付け枠の開口部に前記本体取付け枠の長手方向から挿入、位置決めする構成としたことを特徴とする浴室換気乾燥暖房機。
【請求項２】
前記パイプガイドの前記係止部を前記本体取付け枠の前記開口部に挿入する際に、前記パイプガイドのフランジ部を前記本体取付け枠の水平面に当接して固定するることを特徴とする請求項１に記載の浴室換気乾燥暖房機。
【請求項３】
前記パイプガイドの上部より前記本体側に、前記本体と係合する係合部と、前記本体の上面には前記パイプガイドの前記係合部に係合される係合突起とを備えたことを特徴とする請求項１〜２いずれか記載の浴室換気乾燥暖房機。
【請求項４】
前記本体を前記本体取付け枠に挿入した時に、前記本体の側面上部に設けられ、前記本体取付け枠もしくは天井材に引っ掛けて前記本体を仮固定する、弾性を有した落下防止バネを備えたことを特徴とする請求項１〜３いずれか記載の浴室換気乾燥暖房機。
【発明の詳細な説明】
【技術分野】
【０００１】
本発明は、浴室の換気や暖房、衣類乾燥に好適な浴室換気乾燥暖房機に関するものである。
【背景技術】
【０００２】
浴室に設置され快適性の向上をはかる換気や暖房、さらには衣類乾燥を行う浴室換気乾燥暖房機は、主に浴室の天井に設置されるものが多く、専用の天井設置用の取付け枠により取付けられる。また、浴室換気乾燥暖房機には金属製のダクトを配管し、浴室内の空気はこの配管されたダクトを通じて屋外に排気される。ダクトと本体との接続は、本体にパイプガイドが設けられており、このパイプガイドにダクトを挿入し接続部表面をテープなどで固定する工事が行われている。
このように構成された浴室換気乾燥暖房機は、本体内部の部品修理、交換の際には浴室換気乾燥暖房機本体を天井から外す必要があるが、本体とダクトが接続された状態では、本体を天井から取外すことができず、本体と配管したダクト配管との取り外しが簡単にできる構造が求められている。このような背景から、従来の方法としては、箱型の本体が嵌まり込む大きさの本体取付け枠を天井材の開口部に仮固定し、この本体取付け枠の側面に設けた穴からパイプガイドをねじなどで固定する構造を用いている。この構成による施工方法は、本体取付け枠に固定したパイプガイドと天井部に配管したダクトとの接続を行い、その後本体を本体取付け枠に挿入し、本体外縁の周囲の設けたフランジ部を天井材にねじなどで固定している。このような構成にすることにより、ダクト配管を外す必要がなく、パイプガイドと本体取付け枠を天井部に残したまま、本体だけを取り外せる構造を採用している。（例えば特許文献１参照）
また、他の構成としては、箱型の本体と、ダクトを接続するパイプガイドと、パイプガイドの上部に設けた係合部を本体上部に係合させて相互間の位置決めを行う位置決め手段が設けられている。また、さらに本体とパイプガイドの相対位置が所定の位置にあるときに、パイプガイドの下部に本体と密着させる引っ掛け爪を備え、本体にはパイプガイドに備えた引っ掛け爪が挿入される開口部とを備えた構成を採用している。このような構成により、ダクトが接続されたパイプガイドを天井部に残したまま、本体を簡単に取り外せる構造となっている。（例えば特許文献２参照）
【先行技術文献】
【特許文献】
【０００３】
【特許文献１】特開２０００−２２７２４１号公報
【特許文献２】実用新案公報平５−４１３１２号公報
【発明の概要】
【発明が解決しようとする課題】
【０００４】
しかしながら、特許文献１のような構成は、パイプガイドを本体取付け枠に取付ける場合は天井付近での高所作業が必要であることに加え、ねじなどの締結部品を用いて作業するため、ねじとそれぞれの部品の位置合わせなどが行いにくいものであった。また、確実な固定をすることと、接続部からの風漏れを防ぐ理由から、ねじを数本（３〜４本）用いる必要があり締め付けに時間がかかるなど、取付け作業性が課題であった。また、ねじなど小物部品を浴室内に落とすことや、紛失することが多く作業の非効率性も課題となっていた。
また、特許文献２のような構成は、本体の挿入する方向と、パイプガイドの引掛け爪の方向が同じ方向となっているため、本体を挿入する際に本体とパイプガイドの引掛け爪との干渉により、パイプガイドの引掛け爪が変形する場合があった。このため、引掛け爪を手直ししてから、再度本体を挿入する手間の発生や、変形に気づかず本体を挿入することにより、本体とパイプガイドが確実に密着できず、接続部からの風漏れの原因や、不完全な取付けによる振動などの異常音が発生する原因となっていた。また、本体の挿入方向とパイプガイドの引掛け爪の方向が同じであることから、浴室換気乾燥機本体の高さ方向の寸法がある程度必要となり、製品の小型化が困難なことや、天井の本体施工空間を大きくすることが必要であった。さらには、本体を支える強度を充分確保するためには、この引掛け爪を複数個備える必要があるなどの課題があった。
【０００５】
この発明は、上記のような課題を解決するためになされたもので、浴室換気乾燥暖房機本体とパイプガイドと本体取付け枠の施工において、短時間で位置決め、固定を行うことが可能で、作業時間を短縮する浴室換気乾燥暖房機を提供するものである。
【０００６】
また、第２の目的は、パイプガイドの全高を低くし、本体の高さ方向を小型化するとともに、パイプガイドと本体及び本体取付け枠それぞれの接続部の強度や施工時の信頼性を向上させたものである。
【課題を解決するための手段】
【０００７】
換気装置は、本体内に換気通風路を構成し、本体の側面に換気通風路の吸込み口、吹出し口とを有し、また、本体の側面に隣接して直角に構成される取付けのためのフランジ部を有する換気装置と、この換気装置を天井等に取付け固定する本体取付け枠と、本体取付け枠に固定して、換気装置の吸込み口と吹出し口に連結されるパイプガイドとから構成される。この構成において、本体取付け枠はパイプガイドを固定するための、水平方向と垂直方向の二面を有し、垂直方向面にはパイプガイドを係止するための開口部を設け、また、パイプガイドにはダクトを接続する筒部と筒部の軸方向に直角なプレート部で構成し、このプレート部に本体取付け枠に固定するためのフランジ部と係止部が備えられ、係止部は本体取付け枠の開口部に本体取付け枠の長手方向から挿入、位置決めする構造としたものである。
【発明の効果】
【０００８】
この発明は、本体取付け枠とパイプガイドと本体のそれぞれの接続、固定に関して、高所でありながらも位置決めが容易にでき、固定も短時間に行うことが可能となり作業時間が短縮できるものである。またさらには、接続部の信頼性の向上も図れるものである。
【図面の簡単な説明】
【０００９】
【図１】この発明の実施の形態を示す浴室換気乾燥暖房機の斜視図である。
【図２】この発明の実施の形態を示す施工状態の概略を示す斜視図である。
【図３】この発明の実施の形態を示すパイプガイドの斜視図である。
【図４】この発明の実施の形態を示すパイプガイドと本体取付け枠の嵌合状態の斜視図である。
【図５】この発明の実施の形態を示す係止部の斜視図である。
【図６】この発明の実施の形態を示す係止部が係合された状態の斜視図である。
【図７】この発明の実施の形態を示す係止部の嵌合状態の断面図である。
【図８】この発明の実施の形態を示す施工状態の側面図である。
【発明を実施するための形態】
【００１０】
以下、浴室換気乾燥暖房機の実施の形態について、図面を参照して詳細に説明する。なお、この発明は以下に説明する実施の形態に限定されるものではない。
【実施例】
【００１１】
図１は、本発明の実施の形態に係る浴室換気乾燥暖房装置の外観を示す斜視図であり、実際の設置状態では浴室の天井などに設置されており、図１では設置状態において浴室側から見上げた状態を斜視図で示している。また、図1に示す浴室換気乾燥暖房機は、例えば本体を浴室に設置し、トイレ、洗面室などの換気にも対応可能な２、３部屋タイプのものを表している。なお、浴室換気乾燥暖房機はこのタイプに限らず、他にも浴室のみの一部屋タイプ、熱交換型換気扇との連動運転が可能なタイプなどでも同様である。
【００１２】
図１の１は箱状の本体を示し、内部には多翼羽根と電動機を備えた換気用送風機２が内蔵されている。また、本体1の側面には吸気口を形成する吸気用のパイプガイドに連通する吸気用の開口部１ｅが備えられており、それぞれ洗面室、トイレなどにダクト配管されその部屋の換気を行うものである。なお、この吸気用の開口部１ｅは図示はされていないが、本体側面１ａ、１ｂに複数設けて、住宅の間取りを考慮し施工時においてこの吸気される方向や、吸気口の数を選択することが可能となっており、浴室のみの一部屋の換気から浴室、洗面、トイレなどの３部屋までの換気が可能となっている。本体１の下面側１ｃは開口されており、その開口端には、本体１を天井等に取付け固定するとともに、化粧パネル４を取付けるためのフランジ１ｄが開口１ｃの周囲に設けられている。実際の設置状態ではこの化粧パネル４が浴室側に表れる。化粧パネル４の表面には浴室内の空気を吸込む吸込み口５が設けられており、吸込み口５の５ａは換気用吸込み口であり、この吸込み口５ａから本体１の換気用送風機２に連通され排気口を形成する排気用のパイプガイドに連通する排気用の開口部１ｆに至る換気通風路６が設けられる。この換気通風路６には風路を閉止するための換気ダンパー６ａが設けられることもある。なお、本体１の側面１ａもしくは１ｂには排気用の開口部１ｆが設けられ、排気用の開口部１ｆには排気用のパイプガイドを通しダクト配管などにより屋外へ連通されて、吸気用の開口部１ｅ、及び、換気用吸込み口５ａから換気用送風機２により吸われた空気は、この排気用の開口部１ｆにより屋外に排気される。なお、この排気用の開口部１ｆについては図示はされていないが、本体側面１ａ、１ｂに複数の排気用の開口部１ｆへのダクト接続箇所を備え施工時において排気方向を選択できるものである。
また、本体１には多翼羽根と電動機により構成された循環用送風機８と、循環用送風機８の下流には過熱ヒーター９が内蔵されている。化粧パネル４の吸込み口５に設けられた５ｂは循環用吸込み口の開口で、循環用送風機８の吸込み口に対向する位置に設けられている。循環用送風機８により吸われた空気は、循環用吸込み口５ｂから循環用送風機８、過熱ヒーター９に連通し、化粧パネル４に設けた吹出し口１０より浴室内に吹出される循環風路８aを形成している。
【００１３】
上記のように構成された、浴室換気乾燥暖房装置についてその機能を説明する。浴室換気乾燥暖房装置は、上記の換気用送風機２、循環用送風機８、過熱ヒーター９を全て運転した場合は、浴室の湿気を室外に排出し、温風を吹出し口１０より吹出すことにより浴室乾燥、衣類乾燥が可能である。また、循環用送風機８と過熱ヒーター９を運転した場合は、浴室の暖房機として機能し、冬季の浴室内の暖房が可能である。さらに、これらの機能のほか、換気用送風機２のみの運転による換気運転、換気用送風機２と循環用送風機８の運転による、夏季の涼風運転など、年間を通じ用途に合わせた運転が可能である。なお、吸込み口５ａから換気通風路６に換気ダンパー６ａを備えたものは、換気ダンパー６ａは通常は開いており、浴室内の換気も行われるが、冬季の冷風感を防止する場合は換気ダンパー６ａを閉じることにより、浴室のみ換気を閉止することができる。さらには、ミスト発生装置を備えたミスト暖房などの機能を備えたタイプや、計画換気の対応から２４時間換気機能を備え快適性の向上を図る機能を付加することができる。また、これらの運転は、専用のコントローラなどで行われる。
【００１４】
次に施工状態について詳細な構成を図面を用いて説明をする。
図２は、浴室換気乾燥暖房機の施工状態を示す斜視図であり、多くは浴室の天井に施工され、図２は製品の上部より製品側を見た図である。なお図２では、本体１と、本体1の側面１ａ、１ｂに備えた吸気用の開口部１ｅに連通する吸気用のパイプガイド３、排気用の開口部１ｆに連通する排気用のパイプガイド７、およびダクト１１などが装着されていない状態である。これらの構成および施工方法について以下に詳細を説明する。
浴室の天井部にはあらかじめダクト１１が配管されており、吸気用のパイプガイド３ａ、３ｂにはそれぞれ吸気用のダクト１１ａ、１１ｂが接続され、トイレ、洗面室などに配管されている。また、排気用のパイプガイド７には排気用のダクト１１ｃが接続され、このダクト１１ｃは屋外まで配管されており、ダクト１１ｃの屋外側端末には図示はしないが専用の屋外フードが設けられている。なお、吸気用のパイプガイド３および排気用のパイプガイド７の外郭はほぼ同じ形状で構成されているが、排気用のパイプガイド７の内部には図示はしないが風圧式のシャッターが備えられている。この風圧式のシャッターは、外風の侵入を防止する目的で備えられており、冬期の冷気の浸入や、外風が強い時にダクト内を閉止することが可能となっている。パイプガイド３、７はダクト１１に挿入され、この接続部は通常テープなどを巻いて固定され、風漏れの防止を図るように施工される。
【００１５】
本体１は、浴室の天井の開口部に設置され、この本体の取付けには、専用の本体取付け枠１２が用いられる。これは、浴室換気乾燥暖房機の本体１の内部には図１にて説明した換気用送風機２、循環用送風機８および過熱ヒーター９などが搭載されており、重量があること、並びに浴室には近年ユニットバスなどが普及され、浴室の天井部の強度を確保する必要があることから、この本体取付け枠１２を用いる施工を採用している。この本体取付け枠１２は、通常天井内部に吊り下げられたアンカーボルトにより固定するか、天井の開口部周囲に野縁を設けてフランジ部１２ａをねじで固定する方法が用いられている。図２の施工される順序としては、最初に前述の方法により本体取付け枠１２を浴室天井に固定する。次いで本体取付け枠１２に、パイプガイド３、７を固定し、続いてパイプガイド３、７とダクト１１を接続する。
最後に、本体１を浴室側から本体取付け枠１２に挿入し、本体取付け枠１２の下部周囲に設けたフランジ部１２ａと、本体１のフランジ部１ｄとを共に天井材にねじなどで固定する。なお、本体１の側面１ａもしくは１ｂは、パイプガイド３、７の相当する位置の開口部１ｅ、１ｆの周囲にシール材１ｈが貼り付けられている。これにより、本体１を本体取付け枠１２に挿入した際には、このシール材１ｈにより本体１の開口部１ｅ、１ｆとパイプガイド３、７は密着され、風漏れなどが生じない構成となっている。
【００１６】
以上のような構成により、浴室換気乾燥暖房機の修理、点検および交換の際にはダクト１１とパイプガイド３、７をわざわざ取外す必要が無く、本体１のみを本体取付け枠１２から取外して抜くことが可能となり、作業性の向上や作業時間の短縮を行っているものである。
【００１７】
次に本願発明のパイプガイド３、７と本体取付け枠１２の固定について図を用いて詳細に説明をする。
図３はパイプガイド３、７の斜視図であり、上部に浴室換気乾燥暖房機本体との位置決め部７ａを配し、円筒形の筒部７ｂと平面状のプレート部７ｃにより構成されている。なお円筒形の筒部７ｂは先端からプレート部７ｃの方向に口径を徐々に大きくなるように除変させている。これにより、ダクト１１の内径よりも小口径の筒部７ｂの先端がダクト１１に挿入しやすくなるとともに、ダクト１１の種類、材質の違いによる内径の違いについても対応可能としている。パイプガイド３、７の平面状のプレート部７ｃは両側をＬ字状に曲げたＬ字部７ｄを設けており、このパイプガイド３．７の強度を向上しているものである。筒部７ｂの下部には、本体取付け枠１２との係合に用いられる係止部１３が設けられており、例えばプレート部７ｃより切起こしにより形成された係止片として突起１３ａが備えられている。またパイプガイド３、７のプレート部７ｃの下端にはＬ字状に形成された、フランジ部１５が設けられている。
【００１８】
図４はパイプガイド３、７と本体取付け枠１２の係合された状態を示す斜視図であり、図５は係止部の構成を説明した概略図、図６は係止部が係合された状態を示す斜視図、図７は係合された状態の断面図を示したものである。
図５に示すように、パイプガイド３、７の係止部１３は切起こし状の突起１３ａにより筒部７ｂの小径方向に構成され突起１３ａのほぼ中央には、丸状で形成された位置決めダボ１３ｂが切起こしと逆の方向に突出して設けられている。一方、本体取付け枠１２には係止部１４が開口して設けられており、パイプガイド３、７の係止部１３に設けた突起１３ａが挿入される大きさの四角状の開口部１４ａにより構成されている。また開口部１４ａの脇には、突起１３ａに設けた位置決めダボが嵌合される穴部１４ｂが設けられている。
【００１９】
次に、以上のように構成された係止部の係合について説明する。
パイプガイド３、７の係止部１３の突起１３ａは、先端がくの字状に曲げたくの字部１３ｃが設けられており、この先端のくの字部１３ｃを本体取付け枠１２の開口部１４ａに通しパイプガイドを横方向（図５では右方向）にスライドし、突起１３ａを本体取付け枠１２の開口１４ａに挿入する。図６に示すように、係止部が係合された状態では、パイプガイド３、７の突起１３ａの中央部に備えた丸状の位置決めダボ１３ｂは、本体取付け枠１２の開口部１４ａの脇に設けた穴部１４ｂに嵌合され、確実に固定されるとともに抜け防止が図られる。また、図７の断面図で示されるように、パイプガイド３、７の突起１３ａの裏面とパイプガイド３、７のプレート部７ｃに本体取付け枠１２がはさまれることとなり、突起１３ａの弾性力により保持されることとなる。また、図４に示すようにパイプガイド３、７の下部のフランジ部１５は本体取付け枠１２のフランジ部１２ａは重なるように構成されており、このパイプガイド３、７のフランジ部１５と本体取付け枠１２のフランジ部１２ａを合わせた状態でパイプガイド３、７を横方向にスライドすることが可能となっており、パイプガイド３、７の係止部１３と、本体取付け枠１２の係止部１４の位置合わせが容易に行えるように配慮されている。
【００２０】
以上のように構成された、パイプガイド３、７と本体取付け枠１２はこれら各部品の位置合わせ、固定は高所であるにも関わらず容易に作業をすることが可能であり、またねじなどを用いた固定をする必要がなく、作業性の向上、作業時間の短縮が可能となっている。また、本体１を本体取付け枠１２に挿入される方向に対し、パイプガイド３、７及び本体取付け枠１２の係合は係止部１３の突起１３ａが垂直方向に設けられており、パイプガイド係止部１３にかけられる加重は突起１３ａのせん断方向に加えられることから、突起１３ａ一つでも抜けることがなく確実な固定が可能となっている。さらには、突起１３ａは本体取付け枠１２側に備えられていることから、本体１を、本体取付け枠１２に挿入する際に、突起１３ａの変形や，この変形による風漏れや異常音の発生が無く、信頼性の高い施工が可能なものである。また、係止部を横方向にスライドする構成から、パイプガイド３、７の高さ方向にスライド幅の寸法を取る必要がなく、パイプガイド３、７及び本体１の高さ寸法を小型にすることも可能で、天井高さに制限されず施工が行えるものである。
【００２１】
次に図２と、図８を用いて、パイプガイド３、７と本体１の固定について説明する。
図８は施工された状態の概略を示す側面図である。
図２において、パイプガイド３、７の上部には、本体１に係合する係合部７ａが設けられており、本体１の上部には、パイプガイド３、７の係合部に係合される係合突起１ｇが備えられている。図８に示されるように本体１を本体取付け枠１２に挿入し上昇することにより、パイプガイド３、７の上部係合部７ａの受け部７ｅに本体１の係合突起１ｇ嵌合することとなる。この場合パイプガイド３、７の上部係合部７ａの弾性力により本体１の係合突起１ｇは保持され、パイプガイド３、７と本体１の側面１ａまたは１ｂは密着することが可能となっている。
【００２２】
また図２において、本体１の側面１ａもしくは１ｂには弾性を有した落下防止バネ１ｊが備えられる。この落下防止バネ１ｊは短冊状の板材で構成され、本体１から本体取付け枠１２の方向に開いた形で設けられており、図２においては本体１の側面１ｂに設けられた吸気用のパイプガイド３ａ、３ｂに連通する開口部１ｅの近傍に対向して２箇所備えられている。
本体１を本体取付け枠１２に挿入して上昇していくと、この落下防止バネ１ｊは本体取付け枠１２の内側の垂直面と当接し、徐々に本体１側に弾性変形を伴うこととなる。そしてさらに本体１を上昇させると、この落下防止バネ１ｊは、本体取付け枠１２もしくは、この本体取付け枠１２に隣接して設けられる天井材を越えた箇所で本体取付け枠１２の方向側に開き、落下防止バネ１ｊの先端が本体取付け枠１２もしくは天井材と干渉することとなる。よって、本体１を本体取付け枠１２に挿入する作業では、この本体１に設けた落下防止バネ１ｊにより、本体１の仮固定を行うことができ、本体１のフランジ部１ｄにねじにて固定する作業においても、本体１を片手でも容易に支えられるものである。
本体１を本体取付け枠１２に収めた後、本体１のフランジ部１ｄに設けられたねじ固定箇所より、ねじにて本体１のフランジ部１ｄと本体取付け枠１２はともに天井材に固定される。このとき、図８に示されるようにパイプガイド３、７の下部のフランジ部１５は、本体取付け枠１２と本体１のフランジ部１ｄにはさまれており、このパイプガイド３、７のフランジ部１５も、本体１のフランジ部１ｄとともに締め付けられて固定される。
【００２３】
以上のような構成により、主にねじを用いて固定する箇所、方向は、本体１のフランジ部１ｄの箇所であることから、ねじの使用本数も少なくでき、また、浴室側から締め付ける方向に統一することで作業性の向上が図れるものである。さらには、各部品それぞれを各部品単位で固定した場合に比べ、それぞれが係合して固定されており、より強固な固定することが可能となり、施工時の信頼性が向上するものである。また各部品の位置合わせも容易に行うことが可能となり、パイプガイド３、７と本体１、及び、本体取付け枠１２と本体１の位置の微調整などを特別な作業を必要とせず、施工が行えるものである。
【００２４】
なお、以上の構成において、浴室内の空気を浴室外へ排出する浴室換気乾燥暖房機を用いて説明したが、室内の空気を排気するパイプガイドとダクトを備えた換気装置においても同様の作用効果を有するものである。
【符号の説明】
【００２５】
１  本体、
１ａ、１ｂ  本体側面、１ｃ  開口、１ｄ  フランジ部、１ｅ、１ｆ  開口部、
１ｈ  シール材、１ｇ  係合突起、１ｊ  落下防止バネ
２  換気用送風機、
３、３ａ、３ｂ  吸気用パイプガイド、
４  化粧パネル、
５  吸込み口
５ａ  換気用吸込口、５ｂ  循環用吸込口
６  換気通風路
６ａ  換気ダンパー
７  排気用パイプガイド、
７ａ  係合部、７ｂ  筒部、７ｃ  プレート部、７ｄ  Ｌ字部、７ｅ受け部
８  循環用送風機、
８ａ  循環風路
９  加熱ヒーター、
１０  吹出口、
１１  ダクト
１１ａ  換気用ダクト、１１ｂ、１１ｃ  吸気用ダクト
１２  本体取付け枠
１２ａ  フランジ部
１３  係止部
１３ａ  突起ぶ、１３ｂ  位置決めダボ
１４  係止部、
１４ａ  開口部、１４ｂ  穴部
１５  フランジ部
【図１】
2010230229.tif 000003
【図２】
2010230229.tif 000004
【図３】
2010230229.tif 000005
【図４】
2010230229.tif 000006
【図５】
2010230229.tif 000007
【図６】
2010230229.tif 000008
【図７】
2010230229.tif 000009
【図８】
2010230229.tif 000010